(57)【要約】【課題】次世代ネットワーク等において、ファクシミリ通信中などに会話予約がなされたときに、ファクシミリ通信に影響を与えずに通話に適した帯域を使用して通話することができる通信装置および通信方法を提供する。【解決手段】  通信装置２０は、ファクシミリ通信が開始されると、ＳＩＰサーバ２に対して、データ用メディアストリーム８内のファクシミリ通信用帯域を確保するように要求し、ファクシミリ通信中などに会話予約を受け付けた場合、通話が開始されると、ＳＩＰサーバ２に対して、音声用メディアストリーム６内の通話用帯域を確保するように要求する。【選択図】図６
2013055612.tif 000002
【特許請求の範囲】
【請求項１】
ファクシミリ通信において、ネットワークを通じて画像データを送受信する画像データ通信部と、
ネットワークを通じて音声データを送受信する通話部と、
ファクシミリ通信前またはファクシミリ通信中に、前記通話部による前記画像データの受信側との通話のための会話予約を受け付ける会話予約受付部と、
前記ファクシミリ通信に使用されるファクシミリ通信用帯域および前記通話に使用される通話用帯域を設定する使用帯域設定部と、
を有し、
前記使用帯域設定部は、前記ファクシミリ通信の呼接続において、前記ネットワークに対して、ファクシミリ通信用回線内の前記ファクシミリ通信用帯域を確保するように要求し、
前記使用帯域設定部は、前記会話予約受付部が前記会話予約を受け付けた場合、前記通話の呼接続において、前記ネットワークに対して、通話回線内の前記通話用帯域を確保するように要求する
ことを特徴とする通信装置。
【請求項２】
前記通話用帯域は、前記ファクシミリ通信用帯域よりも狭い
ことを特徴とする請求項１に記載の通信装置。
【請求項３】
前記通話部は、ＶｏＩＰ機能を有する電話機である
ことを特徴とする請求項１または２に記載の通信装置。
【請求項４】
前記通話部は、自機側のＶｏＩＰアダプタを有する電話に接続する接続部を有する
ことを特徴とする請求項１または２に記載の通信装置。
【請求項５】
さらに、前記画像データの受信側の通話先接続情報を取得する通話先接続情報取得部を有し、
前記使用帯域設定部は、前記通話先接続情報取得部によって取得された前記通話先接続情報に基づいて、前記通話の呼接続を行う
ことを特徴とする請求項１乃至４のいずれか１項に記載の通信装置。
【請求項６】
前記通話先接続情報取得部は、前記ファクシミリ通信の呼接続の要求に対する受信側の応答に載せられた前記通話先接続情報を取得する
ことを特徴とする請求項５に記載の通信装置。
【請求項７】
さらに、自機の通話先接続情報を登録する通話先情報登録部と、
前記ファクシミリ通信の呼接続の要求に対する前記送信側への応答に、前記通話先情報登録部に登録されている前記自機の通話先接続情報を載せる通話先接続情報付与部と、
を有する
ことを特徴とする請求項５または６に記載の通信装置。
【請求項８】
さらに、前記ファクシミリ通信において、前記画像データの受信が完了したときに、前記ネットワークのサーバに対して、ファクシミリ通信用接続情報を自機の通話先接続情報に一時的に変更するように指示する通話先接続情報変更部を有する
ことを特徴とする請求項５に記載の通信装置。
【請求項９】
前記通話先接続情報変更部は、前記ファクシミリ通信において、送信側から前記会話予約がされることによって前記画像データ通信部がＰＲＩ−Ｑ信号を受信したときに、前記ネットワークのサーバに対して、前記ファクシミリ通信用接続情報を自機の通話先接続情報に一時的に変更するように指示する
ことを特徴とする請求項８に記載の通信装置。
【請求項１０】
さらに、前記画像データの送信が完了してから、前記使用帯域設定部が前記ネットワークに対して前記通話用帯域を確保するように要求するまでの時間を調整する接続開始調整部を有し、
前記接続開始調整部は、前記画像データの送信が完了してから前記時間が経過した後に、前記ネットワークに対して前記通話用帯域を確保するように要求するように前記使用帯域設定部を制御する
ことを特徴とする請求項８または９に記載の通信装置。
【請求項１１】
さらに、自機のファクシミリ通信用接続情報と、前記自機の通話先接続情報とを比較する接続情報比較部を有し、
前記通話先接続情報変更部は、前記自機のファクシミリ通信用接続情報と、前記自機の通話先接続情報とが同一であると前記接続情報比較部が判断したとき、前記ネットワークのサーバに対して、前記自機の通話先接続情報を変更するように指示しない
ことを特徴とする請求項８乃至１０のいずれか１項に記載の通信装置。
【請求項１２】
さらに、前記通話部が前記通話による音声データの送受信を行うことができるか否かを判定する通話可否判定部を有し、
前記通話先接続情報変更部は、前記通話部が前記通話による音声データの送受信を行うことができると前記通話可否判定部が判定したとき、前記ネットワークのサーバに対して、前記自機のファクシミリ通信用接続情報を自機の通話先接続情報に変更するように指示しない
ことを特徴とする請求項８乃至１１のいずれか１項に記載の通信装置。
【請求項１３】
前記通信装置は、前記ファクシミリ通信において、送信側から前記会話予約がなされることによって前記画像データ通信部がＰＲＩ−Ｑ信号を受信したとき、このＰＲＩ−Ｑ信号をＰＲＩがない信号として処理し、オペレータの呼び出し処理を行なわない
ことを特徴とする請求項５乃至１２のいずれか１項に記載の通信装置。
【請求項１４】
さらに、ファクシミリ通信における通信時間と通話における通話時間のそれぞれの履歴情報を作成する履歴情報作成部を有する
ことを特徴とする請求項１乃至１３のいずれか１項に記載の通信装置。
【請求項１５】
前記履歴情報作成部は、前記ファクシミリ通信における通信時間に基づいて通信料金を算出し、前記通話における通話時間に基づいて通話料金を算出し、前記算出された通信料金と通話料金を前記履歴情報に含める
ことを特徴とする請求項１４に記載の通信装置。
【請求項１６】
ファクシミリ通信において、ネットワークを通じて画像データを送受信する画像データ通信ステップと、
ネットワークを通じて音声データを送受信する通話ステップと、
ファクシミリ通信前またはファクシミリ通信中に、前記画像データの受信側との通話のための会話予約を受け付ける会話予約受付ステップと、
前記ファクシミリ通信に使用されるファクシミリ通信用帯域および前記通話に使用される通話用帯域を設定する使用帯域設定ステップと、
前記ファクシミリ通信の呼接続において、前記ネットワークに対して、ファクシミリ通信用回線内の前記ファクシミリ通信用帯域を確保するように要求するファクシミリ通信用帯域要求ステップと、
前記会話予約が受け付けられたことによって実行される前記通話の呼接続において、前記ネットワークに対して、通話回線内の前記通話用帯域を確保するように要求する通話用帯域要求ステップと、
を有する
ことを特徴とする通信方法。
【請求項１７】
さらに、前記画像データの受信側の通話先接続情報を取得する通話先接続情報取得ステップを有し、
前記通話用帯域要求ステップでは、前記取得された通話先接続情報に基づいて、前記通話の呼接続が行われる、
ことを特徴とする請求項１６に記載の通信方法。
【請求項１８】
前記通話先接続情報取得ステップでは、前記ファクシミリ通信の呼接続の要求に対する受信側の応答に載せられた前記通話先接続情報を取得する
ことを特徴とする請求項１７に記載の通信方法。
【請求項１９】
さらに、前記ファクシミリ通信において、前記画像データの受信が完了したときに、前記ネットワークのサーバに対して、ファクシミリ通信用接続情報を自機の通話先接続情報に一時的に変更するように指示する通話先情報変更ステップを有する
ことを特徴とする請求項１７に記載の通信方法。
【請求項２０】
前記通話先情報変更ステップでは、前記ファクシミリ通信において、送信側から前記会話予約がなされることによってＰＲＩ−Ｑ信号を受信したときに、前記ネットワークのサーバに対して、ファクシミリ通信用接続情報を自機の通話先接続情報に一時的に変更するように指示する
ことを特徴とする請求項１９に記載の通信方法。
【発明の詳細な説明】
【技術分野】
【０００１】
本発明は、画像データ等の送受信および通話可能な通信装置および通信方法に関する。
【背景技術】
【０００２】
従来、ファクシミリ通信中に送信者が会話予約をすることで、ファクシミリ通信中または通信後に、受信者側と通話回線を接続するファクシミリ通信装置がある。
【０００３】
たとえば、特許文献１には、ファクシミリ通信などの１の通信が一定帯域幅を占有している場合、電話などの別の通信が開始されるとき、この一定帯域幅から一部の帯域をこの別の通信に自動的に割り当てる通信装置が開示されている。この通信装置は、この別の通信が終了した後に、継続中の１の通信に当該一部の帯域を開放する。
【０００４】
特許文献２には、ＩＳＤＮ(Integrated Services Digital Network)端末が開示されている。この端末では、ファクシミリ通信中に会話予約されたとき、送信側の通信装置からの指示により、受信側の通信装置と同時に、ファクシミリ通信で使用されている通信パスを通話用に切り替える。すなわち、この端末は、同一通信パスで、ファクシミリ通信と通話を切り替えながら行う。
【０００５】
特許文献３には、ファクシミリ通信中に送信者が会話予約した場合、送信される画像データのページの切れ目で通話を割り込ませる電話呼出方式が開示されている。この方式によると、通話が終了したときに、通話が割り込まれたことで中断されたファクシミリ通信が自動的に再開される。
【先行技術文献】
【特許文献】
【０００６】
【特許文献１】特開２００３−３０９６６３号公報
【特許文献２】特開平３−１９５１６６号公報
【特許文献３】特開平３−２６７８５３号公報
【発明の概要】
【発明が解決しようとする課題】
【０００７】
しかしながら、特許文献１の通信装置では、ファクシミリ通信が一定帯域幅を占有しているときに、この一定帯域内から一部の帯域が通話などの別の通信に割り当てられるので、この別の通信が行われる間、ファクシミリ通信のデータ通信速度が低下するといった問題があった。
【０００８】
特許文献３の電話呼出方式では、ファクシミリ通信中に通話が割り込まれるとファクシミリ通信は一旦中断するので、ファクシミリ通信と通話が同時に行われなくなるといった問題があった。さらに、ファクシミリ通信にエラーが発生し、通信回線が切断されてしまうと、受信側との通話ができなくなるといった問題があった。
【０００９】
また、近年、次世代ネットワーク（ＮＧＮ…New Generation Network）を利用した通信装置が開発されている。本明細書における次世代ネットワークとは、インターネットで利用されているＩＰ（Internet Protocol）と呼ばれる通信規約を使って電話回線やデータ通信等を構築した統合ネットワークのことであって、我が国では、２００８年３月に商用サービスが開始された通信網のことをいう。この次世代ネットワークでは、通常、ＳＩＰ(Session Initiation Protocol)サーバが両端末間の呼制御を行うことで、両端末間のファクシミリ通信や通話などが行われる。
【００１０】
特許文献２に開示されている通信機器等がこの次世代ネットワークに適用された場合、以下のような問題点が生じた。
【００１１】
通常、ファクシミリ通信に適した帯域は、通話に適した帯域よりも広帯域である。特許文献２では、ファクシミリ通信と通話は同一通信パスで行われるので、通話においては、ファクシミリ通信で使用される帯域が過剰性能となる問題があった。また、次世代ネットワークにおいては、使用される帯域の広さによって料金が決められているので、ファクシミリ通信終了後の通話のみに広帯域が使用されると、コストが嵩むといった問題があった。
【００１２】
本発明は、上記の問題点を解決するために、次世代ネットワーク等において、ファクシミリ通信中などに会話予約がなされたときに、ファクシミリ通信に影響を与えずに通話に適した帯域を使用して通話することができる通信装置および通信方法を提供することを目的としている。
【課題を解決するための手段】
【００１３】
かかる目的を達成するための本発明の要旨とするところは、次の各項の発明に存する。
【００１４】
［１］ファクシミリ通信において、ネットワークを通じて画像データを送受信する画像データ通信部と、
ネットワークを通じて音声データを送受信する通話部と、
ファクシミリ通信前またはファクシミリ通信中に、前記通話部による前記画像データの受信側との通話のための会話予約を受け付ける会話予約受付部と、
前記ファクシミリ通信に使用されるファクシミリ通信用帯域および前記通話に使用される通話用帯域を設定する使用帯域設定部と、
を有し、
前記使用帯域設定部は、前記ファクシミリ通信の呼接続において、前記ネットワークに対して、ファクシミリ通信用回線内の前記ファクシミリ通信用帯域を確保するように要求し、
前記使用帯域設定部は、前記会話予約受付部が前記会話予約を受け付けた場合、前記通話の呼接続において、前記ネットワークに対して、通話回線内の前記通話用帯域を確保するように要求する
ことを特徴とする通信装置。
【００１５】
上記発明では、通信装置は、ファクシミリ通信の呼接続において、ネットワークに対して、ファクシミリ通信用回線内のファクシミリ通信用帯域を確保するように要求し、ファクシミリ通信中などに会話予約を受け付けた場合、通話の呼接続において、受信側に対して、通話回線内の通話用帯域を確保するように要求する。
【００１６】
これにより、ファクシミリ通信中などにユーザによって会話予約がなされた場合、通話に使用される帯域を、ファクシミリ通信で使用される帯域とは別個に設定することができる。
【００１７】
ネットワークとは、ファクシミリ通信用帯域と通話用帯域を別々に確保することができるものであればよく、たとえば、上記次世代ネットワークが挙げられる。
【００１８】
ファクシミリ通信用回線と通話回線は、互いに別個の回線であってもよい。また、次世代ネットワークの場合、データの送信側および受信側の通信装置間に確立された１のＳＩＰセッション内に複数のメディアストリームが存在するが、これら複数のメディアストリームのうち１のメディアストリームがファクシミリ通信用回線として使用され、他のメディアストリームが通話回線として使用されてもよい。
【００１９】
［２］前記通話用帯域は、前記ファクシミリ通信用帯域よりも狭い
ことを特徴とする［１］に記載の通信装置。
【００２０】
通常、通話に適した帯域は、ファクシミリ通信に適した帯域よりも狭いことが多い。上記発明では、通話用帯域をファクシミリ通信用帯域よりも狭く設定することで、この通話用帯域が通話にとって過剰性能とならない。さらに、次世代ネットワーク等においては、一般的に、確保される帯域が広いほど、ネットワークの使用料金が高くなる。そこで、上記発明では、通話用帯域をファクシミリ通信用帯域よりも狭く設定しているので、会話予約による通話にかかるコストを下げることができる。
【００２１】
［３］前記通話部は、ＶｏＩＰ機能を有する電話機である
ことを特徴とする［１］または［２］に記載の通信装置。
【００２２】
［４］前記通話部は、自機側のＶｏＩＰアダプタを有する電話に接続する接続部を有する
ことを特徴とする［１］または［２］に記載の通信装置。
【００２３】
［５］さらに、前記画像データの受信側の通話先接続情報を取得する通話先接続情報取得部を有し、
前記使用帯域設定部は、前記通話先接続情報取得部によって取得された前記通話先接続情報に基づいて、前記通話の呼接続を行う
ことを特徴とする［１］乃至［４］のいずれか１項に記載の通信装置。
【００２４】
上記発明では、通話先接続情報取得部が受信側の通話先接続情報を取得するので、送信側の通信装置のユーザは、受信側の通話先接続情報を調べる必要がなくなる。また、送信側の通信装置のユーザは、この通信装置に受信側の通話先接続情報を入力せずに、受信側の通話先との通話を行うことができる。
【００２５】
受信側の通話先は、受信側の通信装置の通話部だけでなく、送信側から会話予約がなされたときに、送信側と通話による音声データの送受信を行うことができる、受信側の通信装置とは別個の電話等の通話機器も含む。
【００２６】
通話先接続情報とは、ＩＰ電話の電話番号やＩＰアドレスなど、通話の呼接続において通話先の電話機等を識別するための番号等である。
【００２７】
［６］前記通話先接続情報取得部は、前記ファクシミリ通信の呼接続の要求に対する受信側の応答に載せられた前記通話先接続情報を取得する
ことを特徴とする［５］に記載の通信装置。
【００２８】
受信側の応答とは、たとえば、送信（発呼）側からのＩＴＵ−Ｔ（International Telecommunication Union Telecommunication Standardization Sector：国際電気通信連合電気通信標準化セクタ）勧告Ｔ.３８に準拠したファクシミリ通信の、呼接続に用いるＲＦＣ（Request for Comments）３２６１に準拠したＩＮＶＩＴＥに対する応答コード２００ＯＫなど、呼接続において必要なプロトコル信号であって、受信（被呼）側から送信されるもののうち、受信（被呼）側の通話先接続情報を載せることができる応答のことをいう。
【００２９】
［７］さらに、自機の通話先接続情報を登録する通話先情報登録部と、
前記ファクシミリ通信の呼接続の要求に対する前記送信側への応答に、前記通話先情報登録部に登録されている前記自機の通話先接続情報を載せる通話先接続情報付与部と、
を有する
ことを特徴とする［５］または［６］に記載の通信装置。
【００３０】
自機の通話先は、自機の通話部だけでなく、送信側から会話予約がなされたときに、送信側と通話による音声データの送受信を行うことができる、自機とは別個の電話等の通話機器も含む。
【００３１】
送信側への応答とは、たとえば、送信（発呼）側からのＩＴＵ−Ｔ勧告Ｔ.３８に準拠したファクシミリ通信の、呼接続に用いるＲＦＣ３２６１に準拠したＩＮＶＩＴＥに対する応答コード２００ＯＫなど、呼接続において必要なプロトコル信号であって、送信（発呼）側へ送信されるもののうち、自機の通話先接続情報を載せることができる応答のことをいう。
【００３２】
［８］さらに、前記ファクシミリ通信において、前記画像データの受信が完了したときに、前記ネットワークのサーバに対して、ファクシミリ通信用接続情報を自機の通話先接続情報に一時的に変更するように指示する通話先接続情報変更部を有する
ことを特徴とする［５］に記載の通信装置。
【００３３】
ネットワークのサーバとは、送信側と受信側の通信装置との間の通信回線を確立するためのネットワーク上に存在するサーバのことであり、次世代ネットワークの場合には、たとえば、ＳＩＰサーバなどが挙げられる。
【００３４】
ファクシミリ通信用接続情報とは、ファクシミリ通信用電話番号やＩＰアドレスなど、ファクシミリ通信の呼接続において、画像データの送信先のファクシミリ通信機器等を識別するための番号等である。
【００３５】
［９］前記通話先接続情報変更部は、前記ファクシミリ通信において、送信側から前記会話予約がされることによって前記画像データ通信部がＰＲＩ−Ｑ信号を受信したときに、前記ネットワークのサーバに対して、前記ファクシミリ通信用接続情報を自機の通話先接続情報に一時的に変更するように指示する
ことを特徴とする［８］に記載の通信装置。
【００３６】
ＰＲＩ−Ｑ信号とは、ＩＴＵ−Ｔ勧告Ｔ.３０等に準拠したプロトコル信号であって、ＰＰＳ−ＰＲＩ−ＭＰＳ信号やＰＰＳ−ＰＲＩ−ＥＯＰ信号など、画像データを送信した後に、または、画像データの１のページを送信した後にオペレータの介在を要求する信号の総称である。
【００３７】
［１０］さらに、前記画像データの送信が完了してから、前記使用帯域設定部が前記ネットワークに対して前記通話用帯域を確保するように要求するまでの時間を調整する接続開始調整部を有し、
前記接続開始調整部は、前記画像データの送信が完了してから前記時間が経過した後に、前記ネットワークに対して前記通話用帯域を確保するように要求するように前記使用帯域設定部を制御する
ことを特徴とする［８］または［９］に記載の通信装置。
【００３８】
［１１］さらに、自機のファクシミリ通信用接続情報と、前記自機の通話先接続情報とを比較する接続情報比較部を有し、
前記通話先接続情報変更部は、前記自機のファクシミリ通信用接続情報と、前記自機の通話先接続情報とが同一であると前記接続情報比較部が判断したとき、前記ネットワークのサーバに対して、前記自機の通話先接続情報を変更するように指示しない
ことを特徴とする［８］乃至［１０］のいずれか１項に記載の通信装置。
【００３９】
［１２］さらに、前記通話部が前記通話による音声データの送受信を行うことができるか否かを判定する通話可否判定部を有し、
前記通話先接続情報変更部は、前記通話部が前記通話による音声データの送受信を行うことができると前記通話可否判定部が判定したとき、前記ネットワークのサーバに対して、前記自機のファクシミリ通信用接続情報を自機の通話先接続情報に変更するように指示しない
ことを特徴とする［８］乃至［１１］のいずれか１項に記載の通信装置。
【００４０】
［１３］前記通信装置は、前記ファクシミリ通信において、送信側から前記会話予約がなされることによって前記画像データ通信部がＰＲＩ−Ｑ信号を受信したとき、このＰＲＩ−Ｑ信号をＰＲＩがない信号として処理し、オペレータの呼び出し処理を行なわない
ことを特徴とする［５］乃至［１２］のいずれか１項に記載の通信装置。
【００４１】
ＰＲＩ−Ｑ信号をＰＲＩがない信号として処理するとは、たとえば、ＰＰＳ−ＰＲＩ−ＭＰＳ信号の場合、通信装置は、当該信号をＰＰＳ−ＭＰＳ信号として処理し、ＰＰＳ−ＰＲＩ−ＥＯＰ信号の場合、通信装置は、当該信号をＰＰＳ−ＥＯＰ信号として処理することである。
【００４２】
［１４］さらに、ファクシミリ通信における通信時間と通話における通話時間のそれぞれの履歴情報を作成する履歴情報作成部を有する
ことを特徴とする［１］乃至［１３］のいずれか１項に記載の通信装置。
【００４３】
［１５］前記履歴情報作成部は、前記ファクシミリ通信における通信時間に基づいて通信料金を算出し、前記通話における通話時間に基づいて通話料金を算出し、前記算出された通信料金と通話料金を前記履歴情報に含める
ことを特徴とする［１４］に記載の通信装置。
【００４４】
［１６］ファクシミリ通信において、ネットワークを通じて画像データを送受信する画像データ通信ステップと、
ネットワークを通じて音声データを送受信する通話ステップと、
ファクシミリ通信前またはファクシミリ通信中に、前記画像データの受信側との通話のための会話予約を受け付ける会話予約受付ステップと、
前記ファクシミリ通信に使用されるファクシミリ通信用帯域および前記通話に使用される通話用帯域を設定する使用帯域設定ステップと、
前記ファクシミリ通信の呼接続において、前記ネットワークに対して、ファクシミリ通信用回線内の前記ファクシミリ通信用帯域を確保するように要求するファクシミリ通信用帯域要求ステップと、
前記会話予約が受け付けられたことによって実行される前記通話の呼接続において、前記ネットワークに対して、通話回線内の前記通話用帯域を確保するように要求する通話用帯域要求ステップと、
を有する
ことを特徴とする通信方法。
【００４５】
上記発明では、ファクシミリ通信の呼接続において、ネットワークに対して、ファクシミリ通信用回線内のファクシミリ通信用帯域を確保するように要求し、ファクシミリ通信中などに会話予約を受け付けた場合、通話の呼接続において、ネットワークに対して、通話回線内の通話用帯域を確保するように要求する。
【００４６】
これにより、ファクシミリ通信中などにユーザによって会話予約がなされた場合、通話に使用される帯域を、ファクシミリ通信で使用される帯域とは別個に設定することができる。
【００４７】
［１７］さらに、前記画像データの受信側の通話先接続情報を取得する通話先接続情報取得ステップを有し、
前記通話用帯域要求ステップでは、前記取得された通話先接続情報に基づいて、前記通話の呼接続が行われる、
ことを特徴とする［１６］に記載の通信方法。
【００４８】
上記発明では、通話先接続情報取得ステップにおいて受信側の通話先接続情報を取得するので、送信側のユーザは、受信側の通話先接続情報を調べる必要がなくなる。また、送信側のユーザは、受信側の通話先接続情報を入力せずに、受信側の通話先との通話を行うことができる。
【００４９】
［１８］前記通話先接続情報取得ステップでは、前記ファクシミリ通信の呼接続の要求に対する受信側の応答に載せられた前記通話先接続情報を取得する
ことを特徴とする［１７］に記載の通信方法。
【００５０】
［１９］さらに、前記ファクシミリ通信において、前記画像データの受信が完了したときに、前記ネットワークのサーバに対して、ファクシミリ通信用接続情報を自機の通話先接続情報に一時的に変更するように指示する通話先情報変更ステップを有する
ことを特徴とする［１７］に記載の通信方法。
【００５１】
［２０］前記通話先情報変更ステップでは、前記ファクシミリ通信において、送信側から前記会話予約がなされることによってＰＲＩ−Ｑ信号を受信したときに、前記ネットワークのサーバに対して、ファクシミリ通信用接続情報を自機の通話先接続情報に一時的に変更するように指示する
ことを特徴とする［１９］に記載の通信方法。
【発明の効果】
【００５２】
本発明に係る通信装置および通信方法によれば、次世代ネットワーク等において、ファクシミリ通信中などに会話予約がなされたときに、通話に使用される帯域を、ファクシミリ通信で使用される帯域とは別個に設定することができる。
【図面の簡単な説明】
【００５３】
【図１】次世代ネットワークにおけるＳＩＰセッションを示す説明図である。
【図２】次世代ネットワークにおいて、発端末のユーザがＳＩＰセッション内のメディアストリームを利用するときに課金される料金例を示す表である。
【図３】本実施形態に係る通信装置の概略構成を示すブロック図である。
【図４】発端末と着端末との間におけるファクシミリ通信から通話までの第１の手順を示すフローチャートである。
【図５】発端末と着端末との間におけるファクシミリ通信から通話までの第１の手順を示すフローチャートである。
【図６】第１の手順の通信シーケンスを示す説明図である。
【図７】（ａ）は、ＩＴＵ−Ｔ勧告Ｔ.３８に準拠したファクシミリ通信の、呼接続に用いるＩＮＶＩＴＥの記述例であり、（ｂ）は、（ａ）に示されたＩＮＶＩＴＥに対する応答コード２００ＯＫの記述例であり、（ｃ）は、通話の呼接続のためのＩＮＶＩＴＥの記述例である。
【図８】発端末と着端末との間におけるファクシミリ通信から通話までの第２の手順を示すフローチャートである。
【図９】発端末と着端末との間におけるファクシミリ通信から通話までの第２の手順を示すフローチャートである。
【図１０】第２の手順の通信シーケンスを示す説明図である。
【図１１】発端末と着端末との間におけるファクシミリ通信および通話に関する第３の手順を示すフローチャートである。
【図１２】第３の手順において、ファクシミリ通信中に実行される通話処理を示すフローチャートである。
【図１３】第３の手順の通信シーケンスを示す説明図である。
【図１４】ファクシミリ通信と通話による通信時間や料金等を履歴情報として示した表である。
【発明を実施するための形態】
【００５４】
以下、図面に基づき本発明の実施の形態を説明する。
【００５５】
図１は、次世代ネットワークにおけるＳＩＰセッションを示す説明図である。図１では、次世代ネットワーク１上にＳＩＰサーバ２が存在している。このＳＩＰサーバ２を介して、ＳＩＰと呼ばれるプロトコルに従って、発端末３と着端末４との間にＳＩＰセッション５が確立される。本実施形態では、発端末３および着端末４として、後述する通信装置２０が使用される。
【００５６】
ＳＩＰセッション５には、種別の異なるメディアセッションが、最大５本存在する。各メディアセッションの帯域の上限は、１Ｍｂｐｓである。図１の例では、ＳＩＰセッション５には、音声用メディアストリーム６と、映像用メディアストリーム７とデータ用メディアストリーム８が存在する。
【００５７】
発端末３と着端末４との間にＳＩＰセッション５が確立されるときに、発端末３は、音声データや映像データなどのメディアの種類と、データ通信に使用される帯域をＳＩＰサーバ２に通知する。ＳＩＰサーバ２は、発端末３からの通知に基づいて、通知されたメディアの種類に対応するメディアストリーム内の上記帯域を確保する。各メディアストリームでは、確保された帯域内で、データが発端末３から着端末４へとルータ９を介して送信される。
【００５８】
図２は、次世代ネットワークにおいて、発端末３のユーザがＳＩＰセッション内のメディアストリームを利用するときに課金される料金例を示す表である。
【００５９】
通常、次世代ネットワークでは、メディアストリームを利用する際に課金される料金は、送信されるデータ量によって決定されるのではなく、データ送信に使用される帯域の広狭と、当該帯域を確保する時間によって決定される。図２の例では、確保される帯域が６４ｋｂｐｓ以下である場合、課金される料金は３０秒あたり１円であり、確保される帯域が５１２ｋｂｐｓ〜１Ｍｂｐｓである場合、料金は３０秒あたり２円である。
【００６０】
送信されるデータの量およびネットワークの利用料金を考慮すると、ファクシミリ通信における画像データの送信に使用される帯域は、通常、６４ｋｂｐｓ〜１Ｍｂｐｓであることが好ましい。一方、通話で使用される帯域は、通常、６４ｋｂｐｓ以下であることが好ましい。したがって、本実施形態では、発端末３が着端末４とのファクシミリ通信を行う場合、発端末３は、ファクシミリ通信用帯域として５００ｋｂｐｓを設定し、ファクシミリ通信に使用されるデータ用メディアストリーム８内の設定帯域（５００ｋｂｐｓ）を確保するようにＳＩＰサーバ２に要求する。また、発端末３において、ファクシミリ通信前またはファクシミリ通信中に着端末４側との会話予約が行われる場合、発端末３は、通話用帯域として６４ｋｂｐｓを設定し、通話に使用される音声用メディアストリーム６内の設定帯域（６４ｋｂｐｓ）を確保するようにＳＩＰサーバ２に要求する。
【００６１】
図３は、本実施形態に係る通信装置２０の概略構成を示すブロック図である。通信装置２０は、この通信装置２０の動作を統括的に制御するＣＰＵ(Central Processing Unit)２１と、このＣＰＵ２１に接続されたＲＯＭ(Read Only Memory)２２と、ＲＡＭ(Random Access Memory)２３と、電源制御部２４と、通信制御部２５と、通話部２６と、ネットワーク通信部２７と、表示部２８と、操作部２９と、読取部３０と、記憶部３１と、画像処理部３２と、プリンタ部３３とを備えている。
【００６２】
ＣＰＵ２１は、ＯＳ(Operating System)プログラムをベースとし、その上で、ミドルウェアやアプリケーションプログラムなどを実行する。また、ＣＰＵ２１は、ファクシミリ通信における通信時間と通話における通話時間等の履歴情報を作成し、記憶部３１に保存する。
【００６３】
ＲＯＭ２２には、各種のプログラムが格納されており、これらのプログラムに従ってＣＰＵ２１が各種処理を実行することで通信装置２０の各機能が実現される。
【００６４】
ＲＡＭ２３は、ＣＰＵ２１がプログラムに基づいて処理を実行する際に各種のデータを一時的に格納するワークメモリや画像データを格納する画像メモリなどとして使用される。
【００６５】
電源制御部２４は、通信装置２０の各部への電力供給を制御し、通信装置２０の全部分へ電力供給する通常モードと、ユーザ操作の開始や着呼を検出する部分以外への電力供給を停止させた待機モード（省電力モード）との切り替え制御などを行う。
【００６６】
通信制御部２５は、ＩＴＵ−Ｔ（International Telecommunication Union Telecommunication Standardization Sector：国際電気通信連合電気通信標準化セクタ）勧告Ｔ．３０で規定されたファクシミリ伝送手順に関するプロトコル制御を実行し、ファクシミリ通信における画像データの送受信を行う。特に、通信制御部２５は、ファクシミリ通信時にＴ．３０制御信号であるＰＲＩ−Ｑ信号の送受信を行い、さらに、この信号に対して後述の応答処理を行う。
【００６７】
通話部２６は、受話器２６ａと接続部２６ｂを有し、音声データの送受信を行うことにより相手側との通話を実現する。受話器２６ａは、ＶｏＩＰ(Voice over Internet Protocol)機能を内蔵する電話機であって、たとえば、受話器２６ａには、ハンドセット型やヘッドセット型のものがある。接続部２６ｂは、ＶｏＩＰアダプタ内蔵電話を通信装置２０に接続するための接続ユニットである。ＶｏＩＰアダプタ内蔵電話と接続部２６ｂとの間の接続は、有線、無線を問わない。受話器２６ａによる通話の場合においては、受話器２６ａがＩＰ電話の制御を実行し、接続部２６ｂに接続されたＶｏＩＰアダプタ内蔵電話による通話の場合においては、ＶｏＩＰアダプタ内蔵電話がＩＰ電話の制御を実行する。また、通話部２６は通常、受話器２６ａと接続部２６ｂのうち何れか１のみを有している。
【００６８】
ネットワーク通信部２７は、次世代ネットワーク１を利用してデータ通信を行う場合、データ通信に使用すべき帯域を設定し、そのデータの受信側との呼接続の制御を行う。次世代ネットワーク１を利用してファクシミリ通信を行う場合、ネットワーク通信部２７は、ＩＴＵ−Ｔ勧告Ｔ．３８で規定されたファクシミリ通信手順に関するプロトコル制御を実行する。
【００６９】
また、ファクシミリ通信前またはファクシミリ通信中に画像データの送信側から会話予約がなされたが、この画像データの受信側の通信装置２０（以下、「着端末４」という）が音声データの送受信を行えない場合、着端末４のネットワーク通信部２７は、受信側の外部のＩＰ電話の電話番号を送信側に通知する。この電話番号の通知方法については後述する。
【００７０】
さらに、画像データの受信側から外部のＩＰ電話の電話番号が通知されたとき、この画像データの送信側の通信装置２０（以下、「発端末３」という）のネットワーク通信部２７はこの電話番号を取得する。
【００７１】
表示部２８は、液晶ディスプレイ（ＬＣＤ…Liquid Crystal Display）などで構成され、各種の操作画面、設定画面などを表示する機能を果たす。また、ネットワーク通信部２７が相手側の通話先の電話番号を取得した場合には、表示部２８はその電話番号を表示する。さらに、ネットワーク通信部２７が相手側の通話先の電話番号を取得できなかった場合には、表示部２８はその旨を表示する。
【００７２】
操作部２９は、スタートボタン、ストップボタン、テンキーなどの各種のボタン類と、表示部２８の表面に設けられて押下された座標位置を検出するタッチパネルなどで構成され、ユーザが通信装置２０に対して行う各種の操作を受け付ける。また、操作部２９は、受信側のファクシミリ通信用の電話番号や通話用ＩＰ電話番号の入力を受け付ける。さらに、操作部２９は、ファクシミリ通信中などに画像データの受信側への会話予約を受け付ける。
【００７３】
読取部３０は、原稿を光学的に読み取って画像データを取得する。読取部３０は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００７４】
記憶部３１は、ハードディスク装置（Hard Disk Drive；ＨＤＤ）で構成されており、各種の保存データを格納するほか、入力された各種の画像データなども保存する。記憶部３１内には、画像データを保存するための内部保存用のＢＯＸ（フォルダ）が作成される。また、記憶部３１には、操作部２９から入力された受信側のファクシミリ通信用の電話番号および通話用ＩＰ電話番号や、ＣＰＵ２１が作成したファクシミリ通信および通話に関する上記履歴情報が保存される。
【００７５】
画像処理部３２は、画像データに対して、画像補正、回転、拡大／縮小、圧縮／伸張など各種の画像処理を施す。
【００７６】
プリンタ部３３は、記録紙の搬送装置と、感光体ドラムと、帯電装置と、レーザーユニットと、現像装置と、転写分離装置と、クリーニング装置と、定着装置とを有し、電子写真プロセスによって記録紙上に画像を形成するレーザー方式のプリンタエンジンとして構成されている。
【００７７】
次に、ファクシミリ通信中に画像データの送信側で会話予約がなされ、ファクシミリ通信後に受信側との通話を行う第１の手順について説明する。第１の手順では、着端末４の通話部２６の故障等により、着端末４のファクシミリ通信用の電話番号と、着端末４の近くに設置されているＩＰ電話（以下、「着端末４側のＩＰ電話」という）の電話番号が異なり、発端末３は、ファクシミリ通信の呼接続の際に、着端末４からの応答コード２００ＯＫに追記された着端末４側のＩＰ電話の電話番号を取得する。さらに、第１の手順では、発端末３は、ファクシミリ通信終了後に、着端末４側のＩＰ電話の電話番号への通話の呼接続を行う。
【００７８】
図４および図５は、発端末３と着端末４との間におけるファクシミリ通信から通話までの第１の手順を示すフローチャートである。図６は、第１の手順の通信シーケンスを示す説明図である。
【００７９】
図４において、まず、ファクシミリ通信が開始されるとき、発端末３は、ファクシミリ通信に使用される帯域を設定し、ＳＩＰサーバ２に対して着端末４へのファクシミリ通信の呼接続を要求する（ステップＳ１０１）。具体的には、図６のように、発端末３は、ＲＦＣ（Request for Comments）３２６１に準拠したメソッドＩＮＶＩＴＥを発行し、ＳＩＰサーバ２を介して着端末４へ送信する（Ｐ１）。発端末３がこのメソッドＩＮＶＩＴＥを発行するとき、発端末３は、着端末４のファクシミリ通信用の電話番号「０１２３−４５−６７８９」と、送信されるべきデータは画像データである旨と、ファクシミリ通信用帯域として設定された帯域をメソッドＩＮＶＩＴＥに記載する。
【００８０】
発端末３からの呼接続の要求がＳＩＰサーバ２を介して着端末４に到達すると（ステップＳ２０１；Ｙｅｓ）、図６のように、着端末４は、ＳＩＰサーバ２を介して、発端末３に対して応答コード１００Ｔｒｙｉｎｇを返送する（Ｐ２）。続いて、着端末４は、ＳＩＰサーバ２を介して、発端末３に対して応答コード１８０Ｒｉｎｇｉｎｇを送信する（Ｐ３）。
【００８１】
着端末４が画像データを受信することができる状態にあると着端末４のＣＰＵ２１が判断したとき、このＣＰＵ２１は、自機に通話用のＩＰ電話番号が登録されているか否かを判断する（ステップＳ２０２）。着端末４の記憶部３１などに着端末４側のＩＰ電話の電話番号が登録されていると着端末４のＣＰＵ２１が判断した場合（ステップＳ２０２；Ｙｅｓ）、着端末４のネットワーク通信部２７は、発端末３に送信すべき応答コード２００ＯＫに、登録されている電話番号を追記し（ステップＳ２０３）、ステップＳ２０４へ進む。一方、着端末４側のＩＰ電話の電話番号が登録されていないと着端末４のＣＰＵ２１が判断した場合（ステップＳ２０２；Ｎｏ）、ステップＳ２０４へ進む。図６では、着端末４にはＩＰ電話の電話番号「０１２３−４５−９９９９」が予め登録されており、着端末４は、発端末３に送信すべき応答コード２００ＯＫに、この予め登録された電話番号を追記する。
【００８２】
ステップＳ２０４では、着端末４は、応答コード２００ＯＫを、ＳＩＰサーバ２を介して発端末３に送信する（Ｐ４）。
【００８３】
発端末３が応答コード２００ＯＫを受信すると（ステップＳ１０２；Ｙｅｓ）、発端末３のＣＰＵ２１は、発端末３のネットワーク通信部２７が着端末４側のＩＰ電話の電話番号を取得したか否かを判断する（ステップＳ１０３）。
【００８４】
発端末３のネットワーク通信部２７が着端末４側のＩＰ電話の電話番号を取得したことを発端末３のＣＰＵ２１が判断すると（ステップＳ１０３；Ｙｅｓ）、このＣＰＵ２１は、記憶部３１等にこの着端末４側のＩＰ電話の電話番号を格納し（ステップＳ１０４）、ステップＳ１０５へ進む。一方、ネットワーク通信部２７が着端末４側のＩＰ電話の電話番号を取得しなかったことを発端末３のＣＰＵ２１が判断すると（ステップＳ１０３；Ｎｏ）、ステップＳ１０５へ進む。
【００８５】
その後、発端末３は、応答コード２００ＯＫに対する応答として、ＳＩＰサーバ２を介して着端末４にメソッドＡＣＫを送信する（Ｐ５）。その結果、発端末３と着端末４との間にセッションが確立され、ファクシミリ通信によって画像データを送信するためのデータ用メディアストリーム８内のファクシミリ通信用帯域が確保される。そして、発端末３と着端末４との間でファクシミリ通信が開始される（ステップＳ１０５およびＳ２０５）。
【００８６】
このファクシミリ通信が実行されている間に、発端末３の操作部２９が着端末４側への会話予約を受け付けたことを発端末３のＣＰＵ２１が判断した場合（ステップＳ１０６；Ｙｅｓ）、図６のように、ファクシミリ通信において画像データの最終頁を着端末４に送信するときに、発端末３の通信制御部２５は、ポストメッセージ信号として、ＩＴＵ−Ｔ勧告Ｔ.３０に準拠した（ＰＰＳ）−ＰＲＩ−ＥＯＰ信号を着端末４に送信する（ステップＳ１０７、Ｐ６）。
【００８７】
一方、発端末３の操作部２９が着端末４側への会話予約を受け付けていないことを発端末３のＣＰＵ２１が判断した場合（ステップＳ１０６；Ｎｏ）、ファクシミリ通信において画像データの最終頁を着端末４に送信するときに、発端末３の通信制御部２５は、ポストメッセージ信号として、ＩＴＵ−Ｔ勧告Ｔ.３０に準拠した（ＰＰＳ）−ＥＯＰ信号を着端末４に送信する（ステップＳ１０８）。そして、ファクシミリ通信による画像データの送信が終了する。
【００８８】
着端末４がファクシミリ通信において画像データの最終頁を受信したときに、着端末４のＣＰＵ２１は、着端末４の通信制御部２５がＰＲＩ−Ｑ信号（本手順の場合、（ＰＰＳ）−ＰＲＩ−ＥＯＰ信号）を受信したか否かを判断する（ステップＳ２０６）。
【００８９】
着端末４の通信制御部２５がＰＲＩ−Ｑ信号を受信したことを着端末４のＣＰＵ２１が判断すると（ステップＳ２０６；Ｙｅｓ）、着端末４は、ＰＲＩが存在しないポストメッセージ信号として、ＰＲＩ−Ｑ信号を処理する（ステップＳ２０７）。具体的には、図６のように、発端末３から（ＰＰＳ）−ＰＲＩ−ＥＯＰ信号が送信されると、着端末４は、この送信された信号を（ＰＰＳ）−ＥＯＰ信号として扱い、オペレータの呼び出しを行わない。さらに、着端末４は、（ＰＰＳ）−ＰＲＩ−ＥＯＰ信号の応答として、発端末３にＭＣＦを送信する（Ｐ７）。そして、発端末３は、着端末４にＤＣＮを送信し（Ｐ８）、ファクシミリ通信による画像データの受信が終了する（ステップＳ２０８）。
【００９０】
一方、着端末４の通信制御部２５がＰＲＩ−Ｑ信号を受信していないことを着端末４のＣＰＵ２１が判断すると（ステップＳ２０６；Ｎｏ）、着端末４は、（ＰＰＳ）−ＥＯＰ信号の応答として、発端末３にＭＣＦを送信する。そして、発端末３は、着端末４にＤＣＮを送信し、ファクシミリ通信による画像データの受信が終了する（ステップＳ２０８）。
【００９１】
ステップＳ１０９およびＳ２０９では、上記ファクシミリ通信が終了したことにより、発端末３と着端末４は、ファクシミリ通信の呼切断を行う。具体的には、図６のように、発端末３がＳＩＰサーバ２を介して着端末４にＢＹＥを送信する（Ｐ９）。また、着端末４は、このＢＹＥの応答として、応答コード２００ＯＫを、ＳＩＰサーバ２を介して発端末３に送信する（Ｐ１０）。
【００９２】
ファクシミリ通信の呼切断が終了したのち、発端末３のＣＰＵ２１は、発端末３の操作部２９が着端末４側への会話予約を受け付けたか否かを判断する（ステップＳ１１０）。発端末３の操作部２９が着端末４側への会話予約を受け付けていないことを発端末３のＣＰＵ２１が判断した場合（ステップＳ１１０；Ｎｏ）、着端末４側との通話を行わず、上記第１の手順が終了する。
【００９３】
発端末３の操作部２９が着端末４側への会話予約を受け付けたことを発端末３のＣＰＵ２１が判断した場合（ステップＳ１１０；Ｙｅｓ）、このＣＰＵ２１は、記憶部３１等に着端末４側のＩＰ電話の電話番号を格納したか否かを判断する（ステップＳ１１１）。
【００９４】
着端末４側のＩＰ電話の電話番号を格納していないことを発端末３のＣＰＵ２１が判断した場合（ステップＳ１１１；Ｎｏ）、発端末３の表示部２８は、ネットワーク通信部２７が着端末４側のＩＰ電話の電話番号を取得できず、着端末４側への通話の呼接続ができない旨を表示する（ステップＳ１１２）。その後、上記第１の手順が終了する。
【００９５】
着端末４側のＩＰ電話の電話番号を格納していたことを発端末３のＣＰＵ２１が判断した場合（ステップＳ１１１；Ｙｅｓ）、このＣＰＵ２１は、通話部２６の受話器２６ａまたは通話部２６の接続部２６ｂに接続されているＶｏＩＰアダプタ内蔵電話がオフフックされるか否かを監視する（ステップＳ１１３；Ｎｏ）。
【００９６】
受話器２６ａまたは当該ＶｏＩＰアダプタ内蔵電話がオフフックされることを発端末３のＣＰＵ２１が判断すると（ステップＳ１１３；Ｙｅｓ）、発端末３は、通話で使用される帯域を設定し、ＳＩＰサーバ２に、着端末４側のＩＰ電話への通話の呼接続を要求する（ステップＳ１１４）。具体的には、図６のように、発端末３は、ＲＦＣ３２６１に準拠したメソッドＩＮＶＩＴＥを発行し、ＳＩＰサーバ２を介して着端末４へ送信する（Ｐ１１）。発端末３がこのメソッドＩＮＶＩＴＥを発行するとき、発端末３は、ステップＳ１０４で取得された着端末４側のＩＰ電話の電話番号「０１２３−４５−９９９９」と、送受信されるべきデータは音声データである旨と、通話用帯域として設定された帯域をメソッドＩＮＶＩＴＥに記載する。このとき、通話用帯域は、ファクシミリ通信用帯域よりも狭い帯域に設定される。すなわち、通話用帯域は、ファクシミリ通信用帯域よりも利用料金が低い帯域に設定される。
【００９７】
発端末３からの呼接続の要求がＳＩＰサーバ２を介して着端末４側のＩＰ電話に到達すると（ステップＳ２１０；Ｙｅｓ）、図６のように、着端末４側のＩＰ電話は、ＳＩＰサーバ２を介して、発端末３に対して応答コード１００Ｔｒｙｉｎｇを返送する（Ｐ１２）。続いて、着端末４側のＩＰ電話は、ＳＩＰサーバ２を介して、発端末３に対して応答コード１８０Ｒｉｎｇｉｎｇを送信する（Ｐ１３）。さらに、着端末４側のＩＰ電話が通話による音声データを送受信することができる状態にあるとき、着端末４側のＩＰ電話は、ＳＩＰサーバ２を介して、発端末３に対して応答コード２００ＯＫを送信する（ステップＳ２１１、Ｐ１４）。
【００９８】
発端末３が応答コード２００ＯＫを受信すると（ステップＳ１１５；Ｙｅｓ）、発端末３は、応答コード２００ＯＫに対する応答として、ＳＩＰサーバ２を介して着端末４側のＩＰ電話にメソッドＡＣＫを送信する（Ｐ１５）。その結果、発端末３と着端末４との間にセッションが確立され、通話のための音声用メディアストリーム６内に設定された通話用帯域が確保される。そして、発端末３と着端末４との間で通話が開始される。
【００９９】
図７（ａ）は、ＩＴＵ−Ｔ勧告Ｔ.３８に準拠したファクシミリ通信に用いる呼接続のためのＩＮＶＩＴＥのＳＤＰ（Session Description Protocol）記述例である。図７（ｂ）は、図７（ａ）に示されたＩＮＶＩＴＥに対する応答コード２００ＯＫのＳＤＰ記述例である。図７（ｃ）は、通話の呼接続のためのＩＮＶＩＴＥのＳＤＰ記述例である。ＳＤＰの記述は、ＩＥＴＦ（Internet Engineering Task Force）による技術仕様の保存・公開形式であるＲＦＣ２３２７等で定義されている。
【０１００】
図７（ａ）では、リクエスト行のＵＲＩ（Uniform Resource Identifier）に、着端末４のファクシミリ通信用の電話番号「０１２３−４５−６７８９」とその他必要な情報が記載される。ボディでは、送信されるべきメディアの種類（Ｔ.３８に準拠したファクシミリ通信の場合、applicationとなる）がパラメータ”ｍ”に記載される。また、ファクシミリ通信用帯域（本実施形態では、最大５００ｋｂｐｓ）がパラメータ”ｂ”に記載される。ここで、変更子ＡＳは最大帯域を表す。
【０１０１】
図７（ｂ）では、ボディにおいて、自機（本実施形態では、着端末４）の通話用電話番号「０１２３−４５−９９９９」がパラメータ”ｐ”に記載される。
【０１０２】
ＲＦＣ２３２７によると、パラメータ”ｐ”は、通話先の電話番号等の通知に使用されることが可能である。また、ＲＦＣ２３２７によれば、パラメータ”ｐ”の記載中に、関連するフリーのテキスト文字列を丸括弧で括ることで、当該テキスト文字列を付記することが可能である。本実施形態では、特定のキーワード（たとえば、(TEL_ADDR)）を付記することで、この応答コード２００ＯＫを受信する発端末３は、会話予約先の電話番号と解釈する。
【０１０３】
図７（ｃ）では、リクエスト行のＵＲＩに、着端末４側のＩＰ電話の電話番号「０１２３−４５−９９９９」が記載される。ボディでは、送信されるべきメディアの種類（通話による音声データの場合、audioとなる）がパラメータ”ｍ”に記載される。また、通話用帯域（本実施形態では、最大６４ｋｂｐｓ）がパラメータ”ｂ”に記載される。
【０１０４】
上記第１の手順においては、ファクシミリ通信中に発端末３側で会話予約がなされた場合、発端末３は、ファクシミリ通信において画像データの最終頁を着端末４に送信するときに、ＰＲＩ−Ｑ信号の一つである（ＰＰＳ）−ＰＲＩ−ＥＯＰ信号を送信する。着端末４は、受信した（ＰＰＳ）−ＰＲＩ−ＥＯＰ信号を（ＰＰＳ）−ＥＯＰ信号として扱い、オペレータの呼び出しを行わない。この結果、発端末３と着端末４との間で、ファクシミリ通信の呼切断が行われ、データ用メディアストリーム８のファクシミリ通信用帯域が開放される。その後、発端末３は、発端末３と着端末４との間で音声用メディアストリーム６の通話用帯域が確保されるように、ＳＩＰサーバ２に対して、着端末４側のＩＰ電話への通話の呼接続を要求する。
【０１０５】
このことにより、発端末３と着端末４との間でファクシミリ通信が行われるときには、ファクシミリ通信に適した帯域が使用され、その後、会話予約により発端末３と着端末４との間で通話が行われるときには、ファクシミリ通信用帯域よりも狭く、通話に適した帯域が使用される。一般的には、図２のように、通話に適した帯域（たとえば、６４ｋｂｐｓ）は、ファクシミリ通信に使用される帯域（たとえば、５００ｋｂｐｓ）よりも安価であるので、通話コストを下げることができる。
【０１０６】
ファクシミリ通信と通話ではそれぞれ別個の帯域が使用されるので、ファクシミリ通信の成否にかかわらず、発端末３と着端末４との間における通話が可能である。
【０１０７】
また、上記第１の手順では、ファクシミリ通信の呼接続時に、着端末４は、発端末３へと送信されるべき応答コード２００ＯＫに、着端末４側のＩＰ電話の電話番号を記載し、この応答コード２００ＯＫを送信する。これにより、発端末３は、着端末４側のＩＰ電話の電話番号を取得することができる。さらに、発端末３は、この取得した電話番号を使用して着端末４側のＩＰ電話への呼接続の要求を行うので、発端末３のユーザは、着端末４側のＩＰ電話の電話番号を調べる必要がなくなり、発端末３の電話をオフフックするだけで着端末４側との通話を行うことができる。
【０１０８】
一般的に、着端末４のファクシミリ通信用の電話番号と、着端末４側のＩＰ電話の電話番号が異なる場合、着端末４のユーザは、発端末３側に当該ＩＰ電話の電話番号を通知するために、着端末４に当該ＩＰ電話の電話番号を登録する必要がある。一方、着端末４のファクシミリ通信用の電話番号と、着端末４の通話用電話番号が同一である場合、着端末４は、発端末３側に当該通話用電話番号を通知する必要はない。しかしながら、上記電話番号が同一である場合にも、着端末４が自機の通話用電話番号を通知することにより、発端末３は、この通知された電話番号に基づいて、確実に、ＳＩＰサーバ２に対して通話用帯域の確保を要求することができる。
【０１０９】
次に、ファクシミリ通信中に画像データの送信側で会話予約がなされ、ファクシミリ通信後に受信側との通話を行う第２の手順について説明する。第２の手順では、着端末４のファクシミリ通信用の電話番号と、着端末４側のＩＰ電話の電話番号が異なり、発端末３は、ファクシミリ通信終了後に、ＳＩＰサーバ２から着端末４側のＩＰ電話の電話番号を取得し、着端末４側のＩＰ電話の電話番号への通話の呼接続を行う。
【０１１０】
図８および図９は、発端末３と着端末４との間におけるファクシミリ通信から通話までの第２の手順を示すフローチャートである。図１０は、第２の手順の通信シーケンスを示す説明図である。
【０１１１】
まず、ファクシミリ通信が開始されるとき、発端末３は、ファクシミリ通信に使用される帯域を設定し、ＳＩＰサーバ２に対して、着端末４へのファクシミリ通信の呼接続を要求する（ステップＳ３０１、Ｐ２１）。この呼接続の要求は、第１の手順中のステップＳ１０１と同様である。
【０１１２】
発端末３からの呼接続の要求がＳＩＰサーバ２を介して着端末４に到達すると（ステップＳ４０１；Ｙｅｓ）、図１０のように、着端末４は、ＳＩＰサーバ２を介して、発端末３に対して応答コード１００Ｔｒｙｉｎｇを返送する（Ｐ２２）。続いて、着端末４は、ＳＩＰサーバ２を介して、発端末３に対して応答コード１８０Ｒｉｎｇｉｎｇを送信する（Ｐ２３）。
【０１１３】
着端末４が画像データを受信することができる状態にあると着端末４のＣＰＵ２１が判断したとき、着端末４は、応答コード２００ＯＫを、ＳＩＰサーバ２を介して発端末３に送信する（ステップＳ４０２、Ｐ２４）。
【０１１４】
発端末３が応答コード２００ＯＫを受信すると（ステップＳ３０２；Ｙｅｓ）、応答コード２００ＯＫに対する応答として、ＳＩＰサーバ２を介して着端末４にメソッドＡＣＫを送信する（Ｐ２５）。その結果、発端末３と着端末４との間にセッションが確立され、ファクシミリ通信によって画像データを送信するためのデータ用メディアストリーム８内に設定されたファクシミリ通信用帯域が確保される。そして、発端末３と着端末４との間でファクシミリ通信が開始される（ステップＳ３０３およびＳ４０３）。
【０１１５】
このファクシミリ通信が実行されている間に、発端末３の操作部２９が着端末４側への会話予約を受け付けたことを発端末３のＣＰＵ２１が判断した場合（ステップＳ３０４；Ｙｅｓ）、図１０のように、ファクシミリ通信において画像データの最終頁を着端末４に送信するときに、発端末３の通信制御部２５は、ポストメッセージ信号として、ＩＴＵ−Ｔ勧告Ｔ.３０等に準拠した（ＰＰＳ）−ＰＲＩ−ＥＯＰを着端末４に送信する（ステップＳ３０５、Ｐ２６）。
【０１１６】
一方、発端末３の操作部２９が着端末４側への会話予約を受け付けていないことを発端末３のＣＰＵ２１が判断した場合（ステップＳ３０４；Ｎｏ）、ファクシミリ通信において画像データの最終頁を着端末４に送信するときに、発端末３の通信制御部２５は、ポストメッセージ信号として、ＩＴＵ−Ｔ勧告Ｔ.３０等に準拠した（ＰＰＳ）−ＥＯＰを着端末４に送信する（ステップＳ３０６）。そして、ファクシミリ通信による画像データの送信が終了する。
【０１１７】
着端末４がファクシミリ通信において画像データの最終頁を受信したときに、着端末４の通信制御部２５がＰＲＩ−Ｑ信号（本手順の場合、（ＰＰＳ）−ＰＲＩ−ＥＯＰ信号）を受信したか否かを着端末４のＣＰＵ２１が判断する（ステップＳ４０４）。
【０１１８】
着端末４の通信制御部２５がＰＲＩ−Ｑ信号を受信したことを着端末４のＣＰＵ２１が判断すると（ステップＳ４０４；Ｙｅｓ）、着端末４は、ＰＲＩが存在しないポストメッセージ信号として、ＰＲＩ−Ｑ信号を処理する（ステップＳ４０５）。具体的には、図１０のように、発端末３から（ＰＰＳ）−ＰＲＩ−ＥＯＰ信号が送信されると、着端末４は、この送信された信号を（ＰＰＳ）−ＥＯＰ信号として扱い、オペレータの呼び出しを行わない。さらに、着端末４は、（ＰＰＳ）−ＰＲＩ−ＥＯＰ信号の応答として、発端末３にＭＣＦを送信する（Ｐ２７）。そして、発端末３は、着端末４にＤＣＮを送信し（Ｐ２８）、ファクシミリ通信による画像データの受信が終了する（ステップＳ４０６）。
【０１１９】
一方、着端末４の通信制御部２５がＰＲＩ−Ｑ信号を受信していないことを着端末４のＣＰＵ２１が判断すると（ステップＳ４０４；Ｎｏ）、着端末４は、（ＰＰＳ）−ＥＯＰ信号の応答として、発端末３にＭＣＦを送信する。そして、発端末３は、着端末４にＤＣＮを送信し、ファクシミリ通信による画像データの受信が終了する（ステップＳ４０６）。
【０１２０】
ステップＳ３０７およびＳ４０７では、発端末３と着端末４との間のファクシミリ通信による画像データの送受信が終了したことにより、ファクシミリ通信の呼切断を行う。この呼切断は、第１の手順中のステップＳ１０９およびＳ２０９と同様である。
【０１２１】
その後、着端末４のＣＰＵ２１は、着端末４の通信制御部２５がファクシミリ通信中にＰＲＩ−Ｑ信号を受信したか否かを判断する（ステップＳ４０８）。着端末４の通信制御部２５がＰＲＩ−Ｑ信号を受信していないことを着端末４のＣＰＵ２１が判断すると（ステップＳ４０８；Ｎｏ）、上記第２の手順が終了する。
【０１２２】
着端末４の通信制御部２５がＰＲＩ−Ｑ信号を受信したことを着端末４のＣＰＵ２１が判断すると（ステップＳ４０８；Ｙｅｓ）、着端末４のＣＰＵ２１は、ＩＰ電話が自機に内蔵されているか、または、外部のＩＰ電話を自機の接続部２６ｂに接続することが可能か、その外部のＩＰ電話を制御することが可能かなど、着端末４が通話による音声データの送受信を適切に行うことができるか否かを判断する。着端末４が通話による音声データの送受信を行うことができることを着端末４のＣＰＵ２１が判断すると（ステップＳ４０９；Ｙｅｓ）、ファクシミリ通信に関する手順が終了し、発端末３との通話が開始される。
【０１２３】
着端末４が通話による音声データの送受信を行うことができないことを着端末４のＣＰＵ２１が判断すると（ステップＳ４０９；Ｎｏ）、着端末４のＣＰＵ２１は、着端末４側のＩＰ電話の電話番号が登録されているか否かを判断する（ステップＳ４１０）。着端末４側のＩＰ電話の電話番号が登録されていないと着端末４のＣＰＵ２１が判断した場合（ステップＳ４１０；Ｎｏ）、上記第２の手順が終了する。
【０１２４】
着端末４側のＩＰ電話の電話番号が登録されていると着端末４のＣＰＵ２１が判断した場合（ステップＳ４１０；Ｙｅｓ）、着端末４のネットワーク通信部２７は、ＳＩＰサーバ２のリダイレクトサーバに、着端末４側のＩＰ電話の電話番号を一時的に登録する（ステップＳ４１１）。具体的には、図１０に示すように、ＰＲＩ−Ｑ信号の受信をトリガーとして、着端末４のネットワーク通信部２７は、リダイレクトサーバで登録されている着端末４の着信先を、ファクシミリ通信用電話番号「０１２３−４５−６７８９」から着端末４側のＩＰ電話の電話番号「０１２３−４５−９９９９」に一時的に変更する（Ｐ２９）。これにより、ファクシミリ通信に関する手順が終了し、発端末３との通話が開始される。
【０１２５】
一方、発端末３側では、ファクシミリ通信の呼切断が終了したのち、発端末３のＣＰＵ２１は、発端末３の操作部２９が着端末４側への会話予約を受け付けたか否かを判断する（ステップＳ３０８）。発端末３の操作部２９が着端末４側への会話予約を受け付けていないことを発端末３のＣＰＵ２１が判断した場合（ステップＳ３０８；Ｎｏ）、着端末４側との通話を行わず、上記第２の手順が終了する。
【０１２６】
発端末３の操作部２９が着端末４側への会話予約を受け付けたことを発端末３のＣＰＵ２１が判断した場合（ステップＳ３０８；Ｙｅｓ）、このＣＰＵ２１は、通話部２６の受話器２６ａまたは通話部２６の接続部２６ｂに接続されているＶｏＩＰアダプタ内蔵電話がオフフックされるか否かを監視する（ステップＳ３０９；Ｎｏ）。
【０１２７】
受話器２６ａまたは当該ＶｏＩＰアダプタ内蔵電話がオフフックされることを発端末３のＣＰＵ２１が判断すると（ステップＳ３０９；Ｙｅｓ）、発端末３は、着端末４側のＩＰ電話への通話の呼接続を要求するためのメソッドＩＮＶＩＴＥのＳＩＰサーバ２への送信を所定時間待機する（ステップＳ３１０）。この所定時間とは、着端末４のネットワーク通信部２７が、リダイレクトサーバで登録されている着端末４の着信先を確実に変更するために必要な時間である。発端末３が上記メソッドＩＮＶＩＴＥの送信を所定時間待機することによって、着端末４に上記着信先の一時変更を確実に実行させる。また、発端末３のＣＰＵ２１は、上記所定時間を、発端末３と着端末４との通信状況等に応じて調整することができる。
【０１２８】
上記所定時間経過後、発端末３は、着端末４のファクシミリ通信用電話番号を使用することで、上記メソッドＩＮＶＩＴＥをＳＩＰサーバ２に送信する（Ｐ３０）。このとき、発端末３は、ファクシミリ通信用帯域よりも狭い通話用帯域を設定し、ＳＩＰサーバ２に対して、着端末４側のＩＰ電話への通話の呼接続を要求する（ステップＳ３１１）。
【０１２９】
ＳＩＰサーバ２は、このメソッドＩＮＶＩＴＥに対する応答として、３０２レスポンスを発端末３に送信する（Ｐ３１）。このとき、ＳＩＰサーバ２は、リダイレクトサーバに一時的に登録されている着端末４側のＩＰ電話の電話番号を発端末３に通知する。
【０１３０】
発端末３は、ＳＩＰサーバ２によって通知された着端末４側のＩＰ電話の電話番号を使用することで、メソッドＩＮＶＩＴＥをＳＩＰサーバ２に送信する（Ｐ３２）。このとき、発端末３は、再び、ファクシミリ通信用帯域よりも狭い通話用帯域を設定し、ＳＩＰサーバ２に対して、着端末４側のＩＰ電話への通話の呼接続を要求する（ステップＳ３１２）。
【０１３１】
発端末３からの呼接続の要求がＳＩＰサーバ２を介して着端末４側のＩＰ電話に到達すると（ステップＳ４１２；Ｙｅｓ）、着端末４側のＩＰ電話は、ＳＩＰサーバ２を介して、発端末３に対して応答コード１００Ｔｒｙｉｎｇを返送する（Ｐ３３）。続いて、着端末４側のＩＰ電話は、ＳＩＰサーバ２を介して、発端末３に対して応答コード１８０Ｒｉｎｇｉｎｇを送信する（Ｐ３４）。さらに、着端末４側のＩＰ電話が通話による音声データを送受信することができる状態にあるとき、着端末４側のＩＰ電話は、ＳＩＰサーバ２を介して、発端末３に対して応答コード２００ＯＫを送信する（ステップＳ４１３、Ｐ３５）。
【０１３２】
発端末３が応答コード２００ＯＫを受信すると（ステップＳ３１３；Ｙｅｓ）、発端末３は、応答コード２００ＯＫに対する応答として、ＳＩＰサーバ２を介して着端末４側のＩＰ電話にメソッドＡＣＫを送信する（Ｐ３６）。その結果、発端末３と着端末４との間にセッションが確立され、通話のための音声用メディアストリーム６内の設定された通話用帯域が確保される。そして、発端末３と着端末４との間で通話が開始される。
【０１３３】
発端末３と着端末４との間における通話が終了するとき、着端末４側のＩＰ電話は、リダイレクトサーバに一時的に登録されている当該ＩＰ電話の電話番号を、元の着端末４のファクシミリ通信用電話番号に戻すようにリダイレクトサーバに指示してもよい。この場合、着端末４側のＩＰ電話には、着端末４のファクシミリ通信用電話番号が登録されている必要がある。
【０１３４】
上記第２の手順においては、第１の手順と同様に、ファクシミリ通信中に発端末３側で会話予約がなされた場合、発端末３は、ファクシミリ通信において画像データの最終頁を着端末４に送信するときに、ＰＲＩ−Ｑ信号の一つである（ＰＰＳ）−ＰＲＩ−ＥＯＰ信号を送信する。着端末４は、受信した（ＰＰＳ）−ＰＲＩ−ＥＯＰ信号を（ＰＰＳ）−ＥＯＰ信号として扱い、オペレータの呼び出しを行わない。この結果、発端末３と着端末４との間で、ファクシミリ通信の呼切断が行われ、データ用メディアストリーム８のファクシミリ通信用帯域が開放される。その後、発端末３は、発端末３と着端末４との間で音声用メディアストリーム６の通話用帯域が確保されるように、ＳＩＰサーバ２に対して、着端末４側のＩＰ電話への通話の呼接続を要求する。
【０１３５】
このことにより、発端末３と着端末４との間でファクシミリ通信が行われるときには、ファクシミリ通信に適した帯域が使用され、その後、会話予約により発端末３と着端末４との間で通話が行われるときには、ファクシミリ通信用帯域よりも狭く、通話に適した帯域が使用される。一般的には、図２のように、通話に適した帯域（たとえば、６４ｋｂｐｓ）は、ファクシミリ通信に使用される帯域（たとえば、５００ｋｂｐｓ）よりも安価であるので、通話コストを下げることができる。
【０１３６】
ファクシミリ通信と通話ではそれぞれ別個の帯域が使用されるので、ファクシミリ通信の成否にかかわらず、発端末３と着端末４との間における通話が可能である。
【０１３７】
また、上記第２の手順では、着端末４は、ＰＲＩ−Ｑ信号の受信をトリガーとして、リダイレクトサーバで登録されている着端末４の着信先を、ファクシミリ通信用電話番号から着端末４側のＩＰ電話の電話番号に一時的に変更する。これにより、発端末３は、着端末４のファクシミリ通信用電話番号を使用して着端末４側のＩＰ電話の電話番号への呼接続の要求を行うときに、着端末４側のＩＰ電話の電話番号を取得することができる。従って、着端末４のファクシミリ通信用電話番号と、着端末４側のＩＰ電話の電話番号が異なる場合でも、発端末３のユーザは、着端末４側のＩＰ電話の電話番号を調べる必要がなくなり、発端末３の電話をオフフックするだけで着端末４側との通話を行うことができる。
【０１３８】
なお、第２の手順では、主に、着端末４のファクシミリ通信用電話番号と、着端末４側のＩＰ電話の電話番号が異なる場合について説明したが、これらの電話番号が同一である場合には、リダイレクトサーバで登録されている着端末４の着信先の一時変更を行わなくてもよい。具体的には、図１０の点線で囲まれたＰ２９、Ｐ３０、Ｐ３１の各信号の送受信が省略される。また、図８のステップＳ４１０において、着端末４に通話用電話番号が登録されている場合でも、着端末４のファクシミリ通信用電話番号と、着端末４側のＩＰ電話の電話番号が同一であると着端末４のＣＰＵ２１が判断したときには、着端末４は、上記着信先の一時変更を行わない。
【０１３９】
次に、ファクシミリ通信中に画像データの送信側で会話予約がなされ、ファクシミリ通信中に受信側との通話を行う第３の手順について説明する。第３の手順では、着端末４のファクシミリ通信用の電話番号と、着端末４側のＩＰ電話の電話番号が異なり、発端末３は、ファクシミリ通信の呼接続の際に、着端末４からの応答コード２００ＯＫに追記された着端末４側のＩＰ電話の電話番号を取得する。さらに、第３の手順では、発端末３は、ファクシミリ通信中に、着端末４側のＩＰ電話の電話番号への通話の呼接続を行う。
【０１４０】
図１１は、発端末３と着端末４との間におけるファクシミリ通信および通話に関する第３の手順を示すフローチャートである。図１２は、ファクシミリ通信中に実行される通話処理を示すフローチャートである。図１３は、第３の手順の通信シーケンスを示す説明図である。
【０１４１】
図１１のステップＳ５０１〜Ｓ５０５およびステップＳ６０１〜Ｓ６０５は、図４のステップＳ１０１〜Ｓ１０５およびステップＳ２０１〜Ｓ２０５と同様であるので、これらの説明を省略する。
【０１４２】
ファクシミリ通信中に、発端末３の操作部２９が着端末４側への会話予約を受け付けたことを発端末３のＣＰＵ２１が判断した場合（ステップＳ５０６；Ｙｅｓ）、図１３のように、ファクシミリ通信において画像データを着端末４に送信するときに、発端末３の通信制御部２５は、ポストメッセージ信号として、ＩＴＵ−Ｔ勧告Ｔ.３０に準拠したＰＲＩ−Ｑ信号（本手順の場合、（ＰＰＳ）−ＰＲＩ−ＭＰＳ信号）を着端末４に送信する（ステップＳ５０７、Ｐ４１）。この（ＰＰＳ）−ＰＲＩ−ＭＰＳ信号は、発端末３が会話予約を受け付けた直後に送信完了となる画像データのページのポストメッセージ信号として送信される。図１３では、画像データの１ページ目の送信完了前に発端末３が会話予約を受け付けたので、発端末３は、この１ページ目のポストメッセージ信号として、（ＰＰＳ）−ＰＲＩ−ＭＰＳ信号を送信する。
【０１４３】
発端末３が着端末４に（ＰＰＳ）−ＰＲＩ−ＭＰＳ信号であるＰＲＩ−Ｑ信号を送信すると、発端末３は、ファクシミリ通信と同時に、後述する通話処理を実行する（ステップＳ５０９）。
【０１４４】
一方、発端末３の操作部２９が着端末４側への会話予約を受け付けていないことを発端末３のＣＰＵ２１が判断した場合（ステップＳ５０６；Ｎｏ）、ファクシミリ通信において画像データの各ページを着端末４に送信するときに、ポストメッセージ信号として、ＩＴＵ−Ｔ勧告Ｔ.３０に準拠した（ＰＰＳ）−ＭＰＳ信号を着端末４に送信する（ステップＳ５０８）。そして、発端末３による画像データの最終頁の送信が完了するまで、発端末３のＣＰＵ２１は、操作部２９が会話予約を受け付けたか否かを監視する（ステップＳ５１０；Ｎｏ）。
【０１４５】
着端末４では、着端末４の通信制御部２５がＰＲＩ−Ｑ信号を受信したことを着端末４のＣＰＵ２１が判断すると（ステップＳ６０６；Ｙｅｓ）、着端末４は、ＰＲＩが存在しないポストメッセージ信号として、ＰＲＩ−Ｑ信号を処理する（ステップＳ６０７）。具体的には、図１３のように、発端末３から（ＰＰＳ）−ＰＲＩ−ＭＰＳ信号が送信されると、着端末４は、この送信された信号を（ＰＰＳ）−ＭＰＳ信号として扱い、オペレータの呼び出しを行わない。さらに、着端末４は、（ＰＰＳ）−ＰＲＩ−ＭＰＳ信号の応答として、発端末３にＭＣＦを送信する（Ｐ４２）。
【０１４６】
一方、着端末４の通信制御部２５がＰＲＩ−Ｑ信号を受信していないことを着端末４のＣＰＵ２１が判断すると（ステップＳ６０６；Ｎｏ）、着端末４による画像データの最終頁の受信が完了するまで、着端末４のＣＰＵ２１は、通信制御部２５がＰＲＩ−Ｑ信号を受信しているか否かを監視する（ステップＳ６０８；Ｎｏ）。
【０１４７】
ファクシミリ通信による画像データの送受信が完了すると（ステップＳ５１０；ＹｅｓおよびＳ６０８；Ｙｅｓ）、ステップＳ５１１およびＳ６０９では、発端末３と着端末４は、ファクシミリ通信の呼切断を行う。このファクシミリ通信の呼切断は、第１の手順中のステップＳ１０９およびＳ２０９と同様である。
【０１４８】
次に、第３の手順における通話処理（ステップＳ５０９）について詳細に説明する。
【０１４９】
発端末３の操作部２９が会話予約を受け付けたことにより発端末３がＰＲＩ−Ｑ信号を着端末４へ送信した後、発端末３のＣＰＵ２１は、記憶部３１等に着端末４側のＩＰ電話の電話番号を格納したか否かを判断する（ステップＳ７０１）。
【０１５０】
着端末４側のＩＰ電話の電話番号を格納していないことを発端末３のＣＰＵ２１が判断した場合（ステップＳ７０１；Ｎｏ）、発端末３の表示部２８は、ネットワーク通信部２７が着端末４側のＩＰ電話の電話番号を取得できず、着端末４側との通話の呼接続ができない旨を表示する（ステップＳ７０２）。その後、上記第３の手順が終了する。
【０１５１】
着端末４側のＩＰ電話の電話番号を格納していたことを発端末３のＣＰＵ２１が判断した場合（ステップＳ７０１；Ｙｅｓ）、発端末３のＣＰＵ２１は、通話部２６の受話器２６ａまたは通話部２６の接続部２６ｂに接続されているＶｏＩＰアダプタ内蔵電話がオフフックされるか否かを監視する（ステップＳ７０３；Ｎｏ）。
【０１５２】
受話器２６ａまたは当該ＶｏＩＰアダプタ内蔵電話がオフフックされることを発端末３のＣＰＵ２１が判断すると（ステップＳ７０３；Ｙｅｓ）、発端末３は、通話用帯域を設定し、ＳＩＰサーバ２に対して、着端末４側のＩＰ電話への通話の呼接続を要求する（ステップＳ７０４）。具体的には、図１３のように、発端末３は、ＲＦＣ３２６１に準拠したメソッドＩＮＶＩＴＥを発行し、ＳＩＰサーバ２を介して着端末４へ送信する（Ｐ４３）。発端末３がこのメソッドＩＮＶＩＴＥを発行するとき、発端末３は、ステップＳ５０４で取得された着端末４側のＩＰ電話の電話番号「０１２３−４５−９９９９」と、送受信されるべきデータは音声データである旨と、通話用帯域として設定された帯域をメソッドＩＮＶＩＴＥに記載する。このとき、通話用帯域は、ファクシミリ通信用帯域よりも狭い帯域に設定される。すなわち、通話用帯域は、ファクシミリ通信用帯域よりも利用料金が低い帯域に設定される。
【０１５３】
発端末３からの呼接続の要求がＳＩＰサーバ２を介して着端末４側のＩＰ電話に到達すると（ステップＳ８０１；Ｙｅｓ）、図１３のように、着端末４側のＩＰ電話は、ＳＩＰサーバ２を介して、発端末３に対して応答コード１００Ｔｒｙｉｎｇを返送する（Ｐ４４）。続いて、着端末４側のＩＰ電話は、ＳＩＰサーバ２を介して、発端末３に対して応答コード１８０Ｒｉｎｇｉｎｇを送信する（Ｐ４５）。さらに、着端末４側のＩＰ電話が通話による音声データを送受信することができる状態にあるとき、着端末４側のＩＰ電話は、ＳＩＰサーバ２を介して、発端末３に対して応答コード２００ＯＫを送信する（ステップＳ８０２、Ｐ４６）。
【０１５４】
発端末３が応答コード２００ＯＫを受信すると（ステップＳ７０５；Ｙｅｓ）、発端末３は、応答コード２００ＯＫに対する応答として、ＳＩＰサーバ２を介して着端末４側のＩＰ電話にメソッドＡＣＫを送信する（Ｐ４７）。その結果、通話のための音声用メディアストリーム６内に設定された通話用帯域が確保される。そして、発端末３と着端末４との間で通話が開始される。
【０１５５】
図１３では、紙面の都合上、通話の呼接続と、ファクシミリ通信における画像データの２ページ目の送信が上下に並べられて記載されているが、実際には、通話の呼接続と画像データの２ページ目の送信は、同時に行われている。
【０１５６】
上記第３の手順においては、ファクシミリ通信中に発端末３側で会話予約がなされた場合、発端末３は、この会話予約の直後に送信完了となる画像データのページのポストメッセージ信号として、ＰＲＩ−Ｑ信号の一つである（ＰＰＳ）−ＰＲＩ−ＭＰＳ信号を送信する。着端末４は、受信した（ＰＰＳ）−ＰＲＩ−ＭＰＳ信号を（ＰＰＳ）−ＭＰＳ信号として扱い、オペレータの呼び出しを行わない。また、発端末３は、発端末３と着端末４との間で音声用メディアストリーム６の通話用帯域が確保されるように、ＳＩＰサーバ２に対して、着端末４側のＩＰ電話への通話の呼接続を要求する。
【０１５７】
このことにより、発端末３と着端末４との間でファクシミリ通信が行われるときには、ファクシミリ通信に適した帯域が使用され、会話予約により発端末３と着端末４との間で通話が行われるときには、ファクシミリ通信用帯域よりも狭く、通話に適した帯域が使用される。一般的には、図２のように、通話に適した帯域（たとえば、６４ｋｂｐｓ）は、ファクシミリ通信に使用される帯域（たとえば、５００ｋｂｐｓ）よりも安価であるので、通話コストを下げることができる。
【０１５８】
ファクシミリ通信と通話ではそれぞれ別個の帯域が使用されるので、ファクシミリ通信の成否にかかわらず、発端末３と着端末４との間における通話が可能である。
【０１５９】
また、上記第３の手順では、第１の手順と同様に、ファクシミリ通信の呼接続時に、着端末４は、発端末３へと送信されるべき応答コード２００ＯＫに、着端末４側のＩＰ電話の電話番号を記載し、この応答コード２００ＯＫを送信する。これにより、発端末３は、着端末４側のＩＰ電話の電話番号を取得することができる。さらに、発端末３は、この取得した電話番号を使用して着端末４側のＩＰ電話への呼接続の要求を行うので、発端末３のユーザは、着端末４側のＩＰ電話の電話番号を調べる必要がなくなり、発端末３の電話をオフフックするだけで着端末４側との通話を行うことができる。
【０１６０】
また、上記第３の手順では、発端末３が着端末４側への会話予約を受け付けると、発端末３は、ファクシミリ通信中に、通話用帯域を設定し、着端末４側のＩＰ電話への通話の呼接続を要求する。これにより、発端末３は、ファクシミリ通信による画像データの送信をデータ用メディアストリーム８のファクシミリ通信用帯域で行い、同時に、通話による音声データの送受信を音声用メディアストリーム６の通話用帯域で行うことができる。
【０１６１】
なお、上記第３の手順では、主に、着端末４のファクシミリ通信用電話番号と、着端末４側のＩＰ電話の電話番号が異なる場合について説明したが、これらの電話番号が同一である場合にも上記第３の手順を適用することができる。この場合、着端末４へのファクシミリ通信の呼接続の要求時に、着端末４は、発端末３に送信すべき応答コード２００ＯＫに、着端末４のファクシミリ通信用電話番号を記載すればよい。
【０１６２】
図１４は、ファクシミリ通信と通話による通信時間や料金等を履歴情報として示した表である。この表は、ＣＰＵ２１が作成したファクシミリ通信における通信時間と通話における通話時間のそれぞれの履歴情報等を基に、プリンタ部３３によって印刷されたものである。また、表の欄外には、データ通信時に確保される帯域毎の通信料金が示される。さらに、ＣＰＵ２１は、上記通信時間に基づいて、ファクシミリ通信料金を算出し、上記通話時間に基づいて通話料金を算出する。これら算出されたファクシミリ通信料金等は、上記通信時間等とともに表に示される。
【０１６３】
発端末３が会話予約を受け付けたファクシミリ通信については、上記表の備考欄に「会話予約」が示されている。また、通話の履歴において、宛先欄の矢印は、この通話の履歴の直上に記載されるファクシミリ通信が行われている間に通話用電話番号が取得されたことを示す。
【０１６４】
たとえば、Ｎｏ．００２に記載されているファクシミリ通信では、経理部の通信装置２０に、通話用の電話番号「０１２３−４５−１１１１」が登録されており、この電話番号がファクシミリ通信中に送信側の通信装置２０に通知されている。送信側の通信装置２０が会話予約を受け付けたときに、送信側の通信装置２０は、通知された電話番号を使用して、経理部の通信装置２０への通話の呼接続の要求を行っていることがこの履歴から分かる。また、経理部の通信装置２０のファクシミリ通信用電話番号と、この通信装置２０に登録されている通話用電話番号が異なるので、経理部の通信装置２０は、通話による音声データの送受信を行うことができないことが分かる。
【０１６５】
また、Ｎｏ．００４に記載されているファクシミリ通信では、秘書室の通信装置２０に、通話用の電話番号「０１２３−４５−０１１０」が登録されており、この電話番号がファクシミリ通信中に送信側の通信装置２０に通知されている。送信側の通信装置２０が会話予約を受け付けたときに、送信側の通信装置２０は、通知された電話番号を使用して、秘書室の通信装置２０への通話の呼接続の要求を行っていることがこの履歴から分かる。また、秘書室の通信装置２０のファクシミリ通信用電話番号と、この通信装置２０に登録されている通話用電話番号が同一であるので、秘書室の通信装置２０は、通話による音声データの送受信を行うことができることが分かる。
【０１６６】
また、宛先欄の矢印がない通話の履歴は、この通話の履歴の直上に記載されるファクシミリ通信が行われている間に通話用電話番号が取得されなかったことを示す。さらに、宛先欄の（Ｓ）は、リダイレクトサーバから取得された通話用電話番号であることを示す。
【０１６７】
たとえば、Ｎｏ．００５に記載されている通話用電話番号には、矢印が記載されていないが、（Ｓ）が表示されている。このＮｏ．００５のファクシミリ通信において、送信側の通信装置２０は、外販部の通信装置２０から通話用電話番号を取得することができなかったので、ファクシミリ通信後に、送信側の通信装置２０は、外販部の通信装置２０のファクシミリ通信用電話番号を使用して、外販部の通信装置２０への通話の呼接続の要求を行っている。その後、送信側の通信装置２０は、通話の呼接続の要求時にリダイレクトサーバから外販部の通信装置２０の通話用電話番号を取得したので、この通話用電話番号を使用して、外販部の通信装置２０への通話の呼接続の要求を行っていることがこの履歴から分かる。
【０１６８】
また、Ｎｏ．００７に記載されている通話用電話番号には、宛先欄に矢印も（Ｓ）も表示されていない。このＮｏ．００７のファクシミリ通信において、送信側の通信装置２０は、営業２課の通信装置２０から通話用電話番号を取得することができなかったので、ファクシミリ通信後に、送信側の通信装置２０は、営業２課の通信装置２０のファクシミリ通信用電話番号を使用して、営業２課の通信装置２０への通話の呼接続の要求を行っている。また、営業２課の通信装置２０は、リダイレクトサーバで登録されている自機の着信先を変更していない。従って、営業２課の通信装置２０のファクシミリ通信用電話番号と通話用電話番号が同一であり、この通信装置２０は、通話による音声データの送受信を適切に行うことができることがこの履歴から分かる。
【０１６９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１７０】
本実施形態では、次世代ネットワークを利用した場合について説明したが、本実施形態に係る通信装置２０は、次世代ネットワークに限らず、ファクシミリ通信用帯域と通話用帯域を別々に確保することができるネットワークにでも適用可能である。
【０１７１】
また、本実施形態に係る通信装置２０は、ファクシミリ通信中に会話予約を受け付けていたが、発端末３のネットワーク通信部２７がＳＩＰサーバ２に対してファクシミリ通信用帯域を確保するように要求する前、すなわち、ファクシミリ通信前に会話予約を受け付けてもよい。たとえば、送信されるべき画像データの原稿が通信装置２０の読取部３０にセットされるときに、通信装置２０は会話予約を受け付けてもよい。
【０１７２】
また、ファクシミリ通信用帯域や通話用帯域は、画像データや音声データのデータ量などを考慮して、適宜設定されてもよい。
【０１７３】
本実施形態では、画像データの送信先接続情報や受信側の通話先接続情報として、電話番号が使用されたが、電話番号に限らず、たとえばＩＰアドレスなどでもよい。
【０１７４】
また、本実施形態に係る通信装置２０は、画像データの送信側からのファクシミリ通信の呼接続のためのＩＮＶＩＴＥに対する応答コード２００ＯＫに自機の通話用電話番号を記載した。しかしながら、この電話番号が記載される応答コードは、応答コード２００ＯＫに限られず、画像データの送信側へ送信されるべき応答コードであって、自機の通話用電話番号を記載したときに、送信側が当該電話番号を認識することができる応答コードであればよい。また、自機の通話用電話番号の記載方法についても、適宜変更可能である。
【符号の説明】
【０１７５】
１…次世代ネットワーク（ＮＧＮ）
２…ＳＩＰサーバ
３…発端末
４…着端末
５…ＳＩＰセッション
６…音声用メディアストリーム
７…映像用メディアストリーム
８…データ用メディアストリーム
９…ルータ
２０…通信装置
２１…ＣＰＵ
２２…ＲＯＭ
２３…ＲＡＭ
２４…電源制御部
２５…通信制御部
２６…通話部
２６ａ…受話器
２６ｂ…接続部
２７…ネットワーク通信部
２８…表示部
２９…操作部
３０…読取部
３１…記憶部
３２…画像処理部
３３…プリンタ部
【図１】
2013055612.tif 000003
【図２】
2013055612.tif 000004
【図３】
2013055612.tif 000005
【図４】
2013055612.tif 000006
【図５】
2013055612.tif 000007
【図６】
2013055612.tif 000008
【図７】
2013055612.tif 000009
【図８】
2013055612.tif 000010
【図９】
2013055612.tif 000011
【図１０】
2013055612.tif 000012
【図１１】
2013055612.tif 000013
【図１２】
2013055612.tif 000014
【図１３】
2013055612.tif 000015
【図１４】
2013055612.tif 000016